(57)【要約】      （修正有）【課題】ヒートシンクを使用しないでＬＥＤ発光素子など電子部品の熱を効率よく下げる簡単な構造のＬＥＤランプを提供する。【解決手段】円筒状のガラス管バルブ１は透光性と熱放射の能力を有する。フィルム基板２は複数のＬＥＤ発光素子など電子部品３が実装された熱伝導性に優れ薄く柔軟性のあるフィルム基板２である。ガラス管バルブ１の両端には口金が取り付けてある。ガラス管バルブ１内壁には光を拡散し透過する能力を有する物質６が被膜塗布されている。フィルム基盤２は、ガラス管バルブ１の内壁長手方向に被膜未塗布部（スリット部）に熱伝導の優れた接着剤８で直に接着してある。ＬＥＤ発光素子など電子部品３実装部裏側のガラス管バルブ１外周部に、熱伝導に優れ塗膜外へ熱を放出する能力を有する放熱塗料を直接塗膜塗装してある。【選択図】図６
0003184896.tif 000002
【実用新案登録請求の範囲】
【請求項１】
円筒状のガラス管バルブ(1)は透光性があって、熱放射の能力を有する。フィルム基板(2)は、複数の LED 発光素子など電子部品(3)が実装された熱伝導性に優れた薄く柔軟性のあるフィルム基板(例えば PET、PEN、ポリイミド製のフィルム)(2)である。ガラス管バルブ(1)の両端には口金(4)(5)が取り付けてある。ガラス管バルブ(1)内壁には光を拡散し透過する能力を有する物質(6)(例えば金属酸化物または、同等の性質を有する物質)が被膜塗布されている。フィルム基盤(2)は、ガラス管バルブ(1)の内壁長手方向に被膜未塗布部(スリット部)(7)に熱伝導の優れた接着剤(8)で直に接着してある。LED 発光素子など電子部品(3)実装部裏側のガラス管バルブ(1)外周部に、熱伝導に優れ塗膜外へ熱を放出する能力を有する放熱塗料(9)を直接塗膜塗装してある。熱伝導に優れた薄く柔軟性のあるフィルム基板をガラス管バルブ(1)内壁に直に接着する事により、ガラス管バルブ(1)が有する熱放射の能力を利用したヒートシンク部品(例えばアルミ合金)を使用しない簡単な構造をもち、光源の LED 発光素子が円筒状のガラス管バルブ(1)内壁最外周に位置することにより優れた配光特性をもつことを特徴とする LED ランプ。
【請求項２】
請求項１に記載のＬＥＤランプにおいて、
円筒状のガラス管バルブ(1)は透光性を有することにより発光面を構成することを特徴とするLEDランプ。
【請求項３】
請求項１に記載のＬＥＤランプにおいて、 
円筒状のガラス管バルブ(1)は、熱放射の能力を有することを特徴とする LED ランプ。
【請求項４】
請求項１に記載のＬＥＤランプにおいて、 
フィルム基板(2)は、複数の LED 発光素子など電子部品(3)が実装された熱伝導性に優れた薄さ 15μm 以上で柔軟性のあるフィルム基板(例えば PET、PEN、ポリイミド製のフィルム)(2)で構成することを特徴とする LED ランプ 。
【請求項５】
請求項１に記載のＬＥＤランプにおいて、 
ガラス管バルブ(1)の両端には口金(4)(5)を備えてあることを特徴とする LED ランプ 。
【請求項６】
請求項１に記載のＬＥＤランプにおいて、 
ガラス管バルブ(1)内壁には光を拡散し透過する能力を有する物質(6)(例えば金属酸化物または、同等の性質を有する物質)が被膜塗布されていることを特徴とする LED ランプ。
【請求項７】
請求項 ４に記載のＬＥＤランプにおいて、 
フィルム基盤(2)は、ガラス管バルブ(1)の内壁長手方向に被膜未塗布部(スリット部)(7)に熱伝導の優れた接着剤(8)で直に接着してあることを特徴とする LED ランプ。
【請求項８】
請求項 ３に記載のＬＥＤランプにおいて、 
LED 発光素子など電子部品(3)実装部裏側のガラス管バルブ(1)外周部に、熱伝導に優れ塗膜外へ熱を放出する能力を有する放熱塗料(9)を直接塗膜塗装してあることを特徴とするLED ランプ 。
【請求項９】
請求項 ４に記載のＬＥＤランプにおいて、 
熱伝導に優れた薄く柔軟性のあるフィルム基板をガラス管バルブ(1)内壁に直に接着する構造を特徴とする LED ランプ。
【請求項１０】
請求項 ３に記載のＬＥＤランプにおいて、 
ガラス管バルブ(1)が有する熱放射の能力を利用したヒートシンク部品(例えばアルミ合金)を使用しない簡単な構造を特徴とする LED ランプ。
【請求項１１】
請求項 ９に記載のＬＥＤランプにおいて、 
光源の LED 発光素子が円筒状のガラス管バルブ(1)内壁最外周に位置することにより優れた配光特性をもつことを特徴とする LED ランプ。
【考案の詳細な説明】
【技術分野】
【０００１】
本考案は、LED 発光素子など電子部品を使用する照明装置において使用され、LED 発光素子など電子部品から発生する熱を効率よく簡単な構造で外部に放射する LED ランプに関する。
【背景技術】
【０００２】
LED 照明は、蛍光灯や白熱電球と言った従来の照明機器と比べると長寿命で低消費電力の優れた特長を持っている。光源である LED 発光素子など半導体素子は、熱によって劣化が加速されるため、熱を効率よく逃がして温度が過度な高温状態とならないようにするヒートシンク（たとえばアルミ合金製）など熱を下げる構造部品が必要である。また光の広がり方や方向（配光）は、光源の LED発光素子が指向性（所定の角度範囲での発光、たとえば LED チップで図 8 の 1/2 ビーム角 120°）がある光源のため、LED 照明としてパッケージされた場合、従来の照明機器と比較して直下は明るくなるが、配光の差異によりランプを取り付ける照明器具によっては期待した明るさが得られない場合がある。
【考案の概要】
【考案が解決しようとする課題】
【０００３】
いっぽう光源である LED 発光素子など半導体素子は、熱によって劣化が加速されるため、熱を効率よく逃がして温度が過度な高温状態とならないようにする LED チップを実装する基板やヒートシンク（たとえばアルミ合金製）など熱を下げる複雑な構造や部品が必要となるため高価で重くなり、またランプ全体の光の損失も大きな欠点がある。
【０００４】
また光の広がり方や方向（配光）は、光源の LED 発光素子が指向性（所定の角度範囲での発光、たとえば LED チップで図 8 の 1/2 ビーム角 120°）がある光源のため、前記構造や部品で LED 照明としてパッケージされた場合、従来の蛍光灯や白熱電球など照明機器と比較して、光源性質による配光の差異により部分的な場所や方向で期待された明るさが得られないことや、まぶしさを感じるなど欠点がある。
【課題を解決するための手段】
【０００５】
上記の課題を解決するために本考案は、図 4 に示すように円筒状のガラス管バルブ(1)は透光性があって、熱放射の能力を有する。フィルム基板(2)は、複数の LED 発光素子など電子部品(3)が実装された熱伝導性に優れた厚さ15μm〜150μｍの薄く柔軟性のあるフィルム基板(例えば PET、PEN、ポリイミド製のフィルム)(2)である。ガラス管バルブ(1)内壁には光を拡散し透過する能力を有する物質(6)(例えば金属酸化物または、同等の性質を有する物質)が被膜塗布されている。フィルム基盤(2)は、ガラス管バルブ(1)の内壁長手方向に被膜未塗布部(スリット部)(7)に熱伝導の優れた接着剤(8)で直に接着してある。LED 発光素子など電子部品(3)実装部裏側のガラス管バルブ(1)外周部に、熱伝導に優れ塗膜外へ熱を放出する能力を有する放熱塗料(9)を直接塗膜塗装してある。熱伝導に優れた薄く柔軟性のあるフィルム基板をガラス管バルブ(1)内壁に直に接着する事により、ガラス管バルブ(1)が有する熱放射の能力を利用したヒートシンク部品(例えばアルミ合金)を使用しない簡単な構造をもち、あわせて光源の LED 発光素子が円筒状のガラス管バルブ(1)内壁(LED チップ高さは 0.87mm、フィルム基盤(2)厚さ 15μm(0.015mm)以上、接着剤塗布厚 0.02μm 以上)の極めて近い位置にあることにより優れた配光特性をもつことを特徴とした LED ランプ。
【０００６】
上記、構造によれば LED 発光素子などの半導体素子から発する熱は、フィルム基盤(2)、接着剤、ガラス管、放熱塗料の順に短い距離で熱伝導し塗布面外に効率よく電磁波(赤外線)として熱放射される。
【０００７】
また、上記構造は図４で示す LED 発光素子の配置位置となるため、図７の(10)のヒートシンクを使った LED ランプと比較すると、ガラス管内壁に照射される光の面積が広いことがわかる。
【考案の効果】
【０００８】
以上のように本考案によれば、LED 発光素子など電子素子から発する熱を下げる構造としてヒートシンクが不要となったため、LED ランプの構造が簡単で軽量となった。また LED発光素子を最適な場所に配置することが可能となることで光の配光特性が良くなった。
【図面の簡単な説明】
【０００９】
【図１】本考案による LED ランプの一構成を示す斜視図である。
【図２】図 1 の LED ランプの一構成を示す斜視図である。
【図３】図 1 の LED ランプの一構成を示す斜視図である。
【図４】本考案による LED ランプの構造を示す概略図である。
【図５】本考案による LED ランプの構造を示す断面概略図である。
【図６】本考案による LED ランプの一構成を示す構造図である。
【図７】従来の LED ランプの一構成をを示す構造図である。
【図８】LED 発光素子のビーム角を示すグラフ図である。
【符号の説明】
【００１０】
(1)〜円筒状のガラス管バルブ
【００１１】
(2)〜フィルム基盤
【００１２】
(3)〜LED 発光素子など電子部品
【００１３】
(4)(5)〜口金セット
【００１４】
(6)〜光を拡散し透過する能力を有する物質(6)(例えば金属酸化物または、同等の性質を有する物質)
【００１５】
(7)〜被膜未塗布部(スリット部)
【００１６】
(8)〜熱伝導の優れた接着剤
【００１７】
(9)〜放熱塗料
【００１８】
(10)〜ヒートシンク(例えばアルミ合金製)
【００１９】
(11)〜ポリカーボネイトなど光拡散材を練り込んだ管状の管
【図１】
0003184896.tif 000003
【図２】
0003184896.tif 000004
【図３】
0003184896.tif 000005
【図４】
0003184896.tif 000006
【図５】
0003184896.tif 000007
【図６】
0003184896.tif 000008
【図７】
0003184896.tif 000009
【図８】
0003184896.tif 000010